(57)【要約】本発明では、少なくとも１つの消耗製品を支持するためのパッケージが提供される。パッケージは、少なくとも１つの消耗製品を支持するための支持部材と、支持部材及び少なくとも１つの製品を封入するための可撓性パッケージと、開放位置と閉鎖位置との間でパッケージを推移させるように構成された閉鎖機構と、を含む。可撓性パッケージは、脆弱線と、脆弱線によって形成された領域の近くに画定され、位置付けられたフラップとを有する。フラップが引っ張られると、脆弱線が破断され、少なくとも１つの消耗製品へのアクセスを可能にする開口部を作り出す。
2020524117.tif 000002
【特許請求の範囲】
【請求項１】
少なくとも１つの消耗製品を支持するためのパッケージであって、
前記少なくとも１つの消耗製品を支持するための支持部材と、
前記支持部材及び前記少なくとも１つの製品を封入するための可撓性パッケージであって、前記可撓性パッケージが、脆弱線と、前記脆弱線によって形成された領域の近くに画定され位置付けられたフラップとを有し、前記フラップが引っ張られると、前記脆弱線が破断され、前記少なくとも１つの消耗製品へのアクセスを可能にする開口部を作り出す、可撓性パッケージと、
開放位置と閉鎖位置との間で前記パッケージを推移させるように構成された閉鎖機構と、を備える、パッケージ。
【請求項２】
前記支持部材が、平面矩形形状であり、接続部材、上部部材、及び下部部材を含み、前記上部部材及び前記下部部材が、前記接続部材によって接続及び分離されている、請求項１に記載のパッケージ。
【請求項３】
前記下部部材が、下部接続部分、前部分、及び後部分を含み、前記前部分及び前記後部分が、前記下部接続部分によって接続及び分離されている、請求項２に記載のパッケージ。
【請求項４】
前記上部部材が、主部分及び上部部分を含み、前記上部部分が、前記主部分の上に置かれ、前記主部分に取り付けられている、請求項３に記載のパッケージ。
【請求項５】
前記支持部材は、前記支持部材が、複数の折り目に沿って折り畳まれて、前記少なくとも１つの消耗製品を内部に収容して保持するための支持部材パウチを形成することができるように、前記複数の折り目を更に含む、請求項４に記載のパッケージ。
【請求項６】
前記可撓性パッケージは、内側フィルム及び外側フィルムを更に含み、前記内側フィルム及び前記外側フィルムが内部空間を画定するように、前記内側フィルムの上部及び対向する側縁部が、それぞれ、前記外側フィルムの上部及び対向する側縁部と共に密封されて、上部及び対向する側の密封された縁部を形成する、請求項４に記載のパッケージ。
【請求項７】
前記支持部材が、前記可撓性パッケージの前記内部空間内に移動可能に収容され緊密に収められるように構成及び寸法決めされている、請求項６に記載のパッケージ。
【請求項８】
前記閉鎖機構が、磁石、再閉鎖可能な接着剤、又はベルクロ（登録商標）である、請求項７に記載のパッケージ。
【請求項９】
前記磁石が、前記支持部材の前記下部部材の前記前部分及び前記上部部材の前記上部部分に適用され、かつ取り付けられており、前記パッケージが前記閉鎖位置にあるとき、前記可撓性パッケージの前記内側フィルムが前記磁石の間にある状態で、前記磁石が互いに整列し、係合され、かつ磁気的に接着されるように、前記支持部材の前記上部部材が、前記支持部材の前記下部部材の前記前部分の上に置かれている、請求項８に記載のパッケージ。
【請求項１０】
前記磁石が、前記可撓性パッケージの前記内側フィルムの上部及び下部区域に取り付けられており、前記パッケージが前記閉鎖位置にあるとき、前記磁石が互いに直接係合し、かつ磁気的に接着されるように、前記可撓性パッケージの前記上部区域が、前記可撓性パッケージの前記下部区域の上に置かれている、請求項８に記載のパッケージ。
【請求項１１】
前記再閉鎖可能な接着剤が、前記可撓性パッケージの前記内側フィルムの下部に適用され、前記パッケージが前記閉鎖位置にあるとき、前記再閉鎖可能な接着剤が、前記内側フィルムの前記上部及び下部区域が互いに係合し、かつ接着されることを可能にするように、前記可撓性パッケージの上部区域が、前記可撓性パッケージの前記下部区域の上に置かれている、請求項８に記載のパッケージ。
【請求項１２】
ベルクロ（登録商標）のフック及びループが、前記可撓性パッケージの前記内側フィルムの上部及び下部区域に取り付けられており、前記パッケージが前記閉鎖位置にあるとき、前記フック及び前記ループが互いに整列し、係合され、かつ取り付けられるように、前記可撓性パッケージの前記上部区域が、前記可撓性パッケージの前記下部区域の上に置かれている、請求項８に記載のパッケージ。
【請求項１３】
前記可撓性パッケージが、ポリマー積層体である、請求項１に記載のパッケージ。
【請求項１４】
前記可撓性パッケージが、モノウェブである、請求項１に記載のパッケージ。
【請求項１５】
前記フラップが、接着剤を使用して前記可撓性パッケージの前記内側フィルムに取り付けられている、請求項６に記載のパッケージ。
【請求項１６】
前記フラップを前記可撓性パッケージの前記内側フィルムに取り付ける前記接着剤の強度が、前記脆弱線を破断させるのに必要な強度よりも大きい、請求項１５に記載のパッケージ。
【請求項１７】
前記脆弱線が、前記可撓性パッケージの前記内側フィルム上に画定されており、前記パッケージが前記開放位置にあるとき、前記脆弱線が、前記可撓性パッケージの上縁部よりも下縁部に近接して位置付けられている、請求項６に記載のパッケージ。
【請求項１８】
前記脆弱線が、弓状である、請求項１に記載のパッケージ。
【請求項１９】
前記パッケージが前記開放位置にあるとき、前記弓状の脆弱線の凸側が、前記可撓性パッケージの下縁部に面する、請求項１８に記載のパッケージ。
【請求項２０】
前記脆弱線が、ミシン目によって形成されている、請求項１に記載のパッケージ。
【請求項２１】
前記支持部材が、補強板、厚紙、板紙、又はプラスチックから作製されている、請求項１に記載のパッケージ。
【請求項２２】
前記可撓性パッケージが、丸い角部を有する、請求項１に記載のパッケージ。
【請求項２３】
前記支持部材パウチが、側壁を有さない、請求項５に記載のパッケージ。
【請求項２４】
前記閉鎖機構の取り付け力が、前記パッケージのヒンジメモリ力よりも強い、請求項１に記載のパッケージ。
【請求項２５】
前記少なくとも１つの消耗製品が、細長い、請求項１に記載のパッケージ。
【発明の詳細な説明】
【技術分野】
【０００１】
（関連出願の相互参照）
本出願は、２０１７年７月１３日に出願された米国仮特許出願第６２／５３１，９４６号の優先権を主張するものであり、この内容はその全体が参照により本明細書に組み込まれる。
【０００２】
（発明の分野）
本発明は、消耗製品パッケージに関し、より具体的には、内部に配設された消耗製品を収容及び支持するように構成された、密封された消耗製品パッケージに関する。
【背景技術】
【０００３】
ガムスラブ又はスティックなどの特定の消耗製品は、通常、製品を保護するために、かつ消費者に使い易さを提供するために包装デバイス内に収められる。現在、消耗製品を収めて分配するように設計及び構成された様々な包装デバイスが存在する。これらの包装デバイスのそれぞれは、通常、その内部に収容された製品を開放してアクセスするために破断し得る端部シールを含む。加えて、これらの包装デバイスのほとんどは、消費者が製品をそこから分配し、パッケージデバイスを繰り返し閉鎖することができるように、閉鎖機構を一般に使用する。
【０００４】
消耗製品用の様々な包装デバイスが現在市場で入手可能であるが、更に改善された、ガムスラブなどの消耗製品用の包装デバイスを提供することが望ましい。
【発明の概要】
【課題を解決するための手段】
【０００５】
本発明の一実施形態によれば、少なくとも１つの消耗製品を支持するためのパッケージは、少なくとも１つの消耗製品を支持するための支持部材と、支持部材及び少なくとも１つの製品を封入するための可撓性パッケージと、開放位置と閉鎖位置との間でパッケージを推移させるように構成された閉鎖機構と、を含む。可撓性パッケージは、脆弱線と、脆弱線によって形成された領域の近くに画定され、位置付けられたフラップとを有する。フラップが引っ張られると、脆弱線が破断され、少なくとも１つの消耗製品へのアクセスを可能にする開口部を作り出す。
【０００６】
本発明のこれらの態様及び他の態様は、図面を考慮してよりよく理解され、以下の発明を実施するための形態に従う。
【図面の簡単な説明】
【０００７】
【図１】開放位置にある、本発明の一実施形態による消耗製品パッケージの斜視図である。
【０００８】
【図２】閉鎖位置にある、図１の消耗製品パッケージの斜視図である。
【０００９】
【図３】図１の消耗製品パッケージの支持部材の斜視図である。
【００１０】
【図４】支持部材が折り畳まれて、内部に配設された消耗製品を有する支持部材パウチを形成している、図１の消耗製品パッケージの支持部材の斜視図である。
【００１１】
【図５】開口部がその上に画定されていない、消耗製品パッケージの可撓性パッケージの斜視図である。
【００１２】
【図６】可撓性パッケージ上の閉鎖機構として使用される磁石を有する、消耗製品パッケージの斜視図である。
【００１３】
【図７】可撓性パッケージ上の閉鎖機構として使用される再閉鎖可能な接着剤を有する、図１の消耗製品パッケージの斜視図である。
【発明を実施するための形態】
【００１４】
本発明の一実施形態によれば、図１及び図２を参照すると、内部に複数の消耗製品１２が収容された消耗製品パッケージ１０が示されている。典型的には細長い矩形形状であり、個々に包まれているガムスラブが本発明の好ましい実施形態に図示されている（図１）が、他の好適な細長い消耗製品がパッケージ１０によって支持されてもよい。
【００１５】
以下により詳細に説明されるように、パッケージ１０は、消耗製品１２を支持及び収容するための支持部材１４と、支持部材１４及びその内部に収容された製品１２を封入するための可撓性パッケージ１６と、図１に示される開放位置と図２に示される閉鎖位置との間でパッケージ１０を推移させるように構成された閉鎖機構１８と、を含む。
【００１６】
上部及び下部などの方向性の用語は、図１に示されるように、消耗製品がパッケージ１０の下半分に収容された状態で、パッケージ１０が開放位置において平坦な表面上に配置される配向を指す。しかしながら、本発明は、それによって、任意の特定の配向での使用に限定されない。
【００１７】
図３を参照すると、パッケージ１０に構造を提供するように構成された支持部材１４が示されている。支持部材１４は、好ましくは平面矩形形状であり、接続部材２０と、接続部材２０によって接続及び分離された上部部材２２及び下部部材２４と、複数の折り目２６とを有する。支持部材１４の上部部材２２は、主部分２８と、主部分２８の上に置かれ、かつ組み立て中にそこに取り付けられる上部部分３０とを含む。支持部材１４の下部部材２４は、下部接続部分３２と、下部接続部分３２によって接続及び分離された前部分３４及び後部分３６とを含む。複数の折り目２６は、各部材と各部分との間の境界線を描く。加えて、複数の折り目２６は、支持部材１４の部分の折り畳みを可能にし、閉鎖機構１８と共に、以下でより詳細に説明するように、パッケージ１０が開放位置と閉鎖位置との間で推移することを可能にする。
【００１８】
図３及び４を参照すると、支持部材１４は、複数の折り目２６に沿って折り畳まれて、内部に消耗製品１２を収容して支持するために組み立て中に支持部材パウチ３８を形成するように構成されている。具体的には、支持部材１４の下部部材２４の前部分３４は、折り畳まれた前部分３４が、下部部材２４の後部分３６と実質的に平行になるように折り畳まれており、図４に示されるように、それらの間に製品保持空間４０を画定している。支持部材パウチ３８は、ガムスラブなどの細長い消耗製品１２が、製品保持空間４０内に並列に又は他の好適な配向に緊密に収められ得るように構成され、寸法決めされる。加えて、支持部材１４の下部部材２４の前部分３４は、アクセスを提供し、消耗製品１２を支持部材１４から取り外すために、後部分３６のほぼ半分の長さまで部分的に上向きに延在する。図４に示されるように、支持部材パウチ３８は側壁を有さない。
【００１９】
図１、２及び５を参照すると、可撓性パッケージ１６は、支持部材１４及びその内部に収容された消耗製品１２を完全に取り囲むように構成されている。可撓性パッケージ１６は、可撓性パッケージ１６の内側及び外側をそれぞれ画定する内側フィルム４２及び外側フィルム４４を含む。内側フィルム４２の上部４６及び対向する側縁部４８は、内側フィルム４２及び外側フィルム４４が内部空間を画定するように、それぞれ、外側フィルム４４の上部５０及び対向する側縁部５２と共に密封されて、丸みを帯びた角部５８を有する、上部５４及び対向する側の密封された縁部５６を形成する。密封された可撓性パッケージ１６は、消耗製品１２の貯蔵寿命を保護及び改善するように、その内部に収容された消耗製品１２に環境障壁を提供する。加えて、丸みを帯びた角部５８は、パッケージ１０がポケット内で快適に運ばれることを可能にする。可撓性パッケージ１６及び支持部材１４の内部空間は、図１に示されるように、支持部材１４が可撓性パッケージ１６の内部空間内に移動可能に収容され得、緊密に収められ得るように寸法決めされる。
【００２０】
再び図５を参照すると、可撓性パッケージ１６は、好ましくはミシン目によって形成された脆弱線６２を更に含む。脆弱線６２は、好ましくは弓状であり、可撓性パッケージ１６の内側フィルム４２上に画定される。パッケージ１０が開放位置にあるとき、脆弱線６２は、可撓性パッケージ１６の上縁部５４よりも下縁部６４に近接して位置付けられ、可撓性パッケージ１６の下縁部６４に面する弓状の脆弱線６２の凸側を有する。加えて、フラップ６６が、脆弱線６２によって形成された領域の近くに画定され、位置付けられる。
【００２１】
好ましい実施形態では、磁石が、パッケージ１０の閉鎖機構１８を提供するために使用される。具体的には、図１及び図４に示されるように、第１の磁石６８及び第２の磁石７０が、下部部材２４の前部分３４及び支持部材１４の上部部材２２の上部部分３０にそれぞれ適用され、取り付けられる。パッケージ１０が開放位置から閉鎖位置へと推移するとき、図２に示されるように、パッケージ１０の上部区域７２及び下部区域７４は、可撓性パッケージ１６の内側フィルム４２が第１の磁石６８と第２の磁石７０との間にある状態で、第１の磁石６８及び第２の磁石７０が互いに整列し、係合され、かつ磁気的に接着されるように、複数の折り目２６に沿って折り畳まれ、かつ互いに実質的に平行である。
【００２２】
あるいは、第１の磁石６８及び第２の磁石７０は、図６に示されるように、それぞれ、可撓性パッケージ１６の内側フィルム４２の上部区域７６及び下部区域７８に取り付けられてもよく、又はその上に印刷されてもよい。パッケージ１０が閉鎖位置にあるとき、第１の磁石６８及び第２の磁石７０は、それらの間の介在構造を全く有さずに、互いに直接係合し、かつ磁気的に接着される。パッケージ１０を開放位置に戻して推移させるために、パッケージ１０の上部区域７２及び下部区域７４は、磁石６８、７０を係合解除するのに十分な力で、互いから単に引き離される。
【００２３】
所与の適用の要因に好適であると見なされる他の設計及び構成がパッケージ１０の閉鎖機構１８に使用され得ることが理解される。例えば、代替の実施形態では、再閉鎖可能な接着剤８０が、図７に示されるように、閉鎖機構１８として適用される。具体的には、再閉鎖可能な接着剤８０は、パッケージ１０が閉鎖位置にあるとき、再閉鎖可能な接着剤８０が、内側フィルム４２の上部区域７６及び下部区域７８が互いに係合し、かつ接着されることを可能にするように、可撓性パッケージ１６の内側フィルム４２の下部区域７８に適用される。
【００２４】
更に別の実施形態では、ベルクロ（登録商標）（図示せず）のフック及びループ式ファスナを閉鎖機構として使用してもよい。具体的には、フック及びループ（図示せず）は、可撓性パッケージ１６の内側フィルム４２の上部区域７６及び下部区域７８にそれぞれ取り付けられる。磁石と同様に、パッケージ１０が開放位置から閉鎖位置に推移すると、パッケージ１０の上部区域７２及び下部区域７４は、フック及びループ（図示せず）が互いに整列し、係合され、かつ取り付けられるように、複数の折り目２６に沿って折り畳まれ、互いに実質的に平行である。パッケージ１０を開放位置に戻して推移させるために、パッケージ１０の上部区域７２及び下部区域７４は、ベルクロ（登録商標）のフック及びループ（図示せず）を係合解除するのに十分な力で、互いに単に引き離される。
【００２５】
本発明では、閉鎖機構１８の取り付け力は、パッケージ１０のヒンジメモリ力よりも強い。これにより、閉鎖機構１８が一旦係合すると、パッケージ１０は閉鎖位置に留まることができる。
【００２６】
パッケージ１０が組み立てられると、最初に、パッケージ１０は、図２に示されるように閉鎖位置にあり、フラップ６６は、可撓性パッケージ１０の内側フィルム４２に接着されている。したがって、ユーザが、パッケージ１０内に収容された消耗製品１２を分配及び消費することを望む場合、最初に、パッケージ１０は開放される必要がある。本発明では、フラップ６６を可撓性パッケージ１６の内側フィルム４２に取り付ける接着剤の強度は、パッケージ１０を初めて単に開封するだけで、脆弱線６２を破断するために必要とされる強度よりも大きいので、フラップ６６は、脆弱線６２を破断させ、消耗製品１２へのアクセスを可能にするためにその内部に収容された消耗製品１２を露出させるための開口部８２を作り出す。
【００２７】
一旦、脆弱線６２が破断され、開口部８２が可撓性パッケージ１６上に作り出されると、パッケージ１０は、上述のように閉鎖機構１８で閉鎖されてもよく、支持部材１４内に収容された消耗製品１２へのアクセスを防止し、また、消耗製品１２が開口部８２を通ってパッケージ１０から取り外されるのを防止する。パッケージ１０は、消費者が望む回数だけ閉鎖及び開放されてもよい。
【００２８】
パッケージ１０は、機材の主要な切り替え又は各製品ごとの著しい追加コストを伴わずに、その水平包み機材上で実行することができるように、設計及び構成されている。これにより、様々なサイズのパッケージが、その内部に異なる量の消耗製品１２を保持するように構成されることができ、これは、現在存在する包装機材及びシステムでは提供できない。
【００２９】
パッケージ１０は、強度、重量、剛性などを含む、所望の用途のために好適な特性を有する１つ以上の材料で作製される。支持部材１４には、補強板、厚紙、板紙、又はプラスチックが一般に好ましい。支持部材１４は、単一の平坦なプラスチック、補強板、厚紙、又は板紙ブランクから形成されてもよい。可撓性パッケージ１６には、ポリマー積層体などの、モノウェブ（monoweb）の可撓性及び密封可能な材料が一般的に好ましい。
【００３０】
上記から、本発明による消耗製品パッケージは、消耗製品をその内部に収容することを可能にする一方で、環境障壁及び閉鎖機構を提供して、消耗製品の貯蔵寿命を改善することが理解されるであろう。
【００３１】
一般に、上記説明は、例示的かつ説明的な目的のために提供される。本発明は、必ずしもこれに限定されるものではない。むしろ、当業者は、追加の修正、並びに特定の状況に対する適応が、本明細書に示され説明される発明の範囲内及び本明細書に添付される特許請求の範囲内に含まれることを理解するであろう。
【図１】
2020524117.tif 000003
【図２】
2020524117.tif 000004
【図３】
2020524117.tif 000005
【図４】
2020524117.tif 000006
【図５】
2020524117.tif 000007
【図６】
2020524117.tif 000008
【図７】
2020524117.tif 000009
【国際調査報告】
2020524117.tif 000010
2020524117.tif 000011
2020524117.tif 000012